(57)【要約】【課題】比較的簡単な構成で背面板の設置を容易に行うことを可能にすることができる充電スタンドを提供する。【解決手段】充電スタンド１０では、スタンド本体部１は、一対の側壁３と、鉛直方向の上方で一対の側壁３に渡って設けられる天上部４と、一対の側壁３と天上部４で囲まれる開口部１ａａを塞ぐ背面板５とを備え、背面板５は、天上部４側の上部背面板５１と、天上部４と反対側の下部背面板５２とを有しており、上部背面板５１は、スタンド本体部１の背面１０ｂｂ側において天上部４の端部４ａから下方に突出する突出片４ｂの内部１０ａａ側の所定位置に上端５１ａを差し込み開口部１ａａを塞いでいない状態で、内部１０ａａ側に突き出し上部背面板５１を所定部材に仮置きさせる突出部６を下端５１ｂ側に有する。【選択図】図１
2015154707.tif 000002
【特許請求の範囲】
【請求項１】
電気車両の二次電池の充電に用いる充電ケーブルと正面側で接続するユニットをスタンド本体部の内部に収納する充電スタンドであって、
前記スタンド本体部は、対向して立て置かれる一対の側壁と、鉛直方向の上方で前記一対の側壁に渡って設けられる天上部と、前記一対の側壁と前記天上部で囲まれる開口部を塞ぐ背面板とを備え、
前記背面板は、前記天上部側の上部背面板と、前記天上部と反対側の下部背面板とを有しており、
前記上部背面板は、前記スタンド本体部の背面側において前記天上部の端部から下方に突出する突出片の前記内部側の所定位置に上端を差し込み前記開口部を塞いでいない状態で、前記内部側に突き出し前記上部背面板を所定部材に仮置きさせる突出部を下端側に有することを特徴とする充電スタンド。
【請求項２】
前記所定部材は、前記一対の側壁に固定された前記下部背面板の上端部であることを特徴とする請求項１に記載の充電スタンド。
【発明の詳細な説明】
【技術分野】
【０００１】
本発明は、たとえば、電池式電気車両やプラグインハイブリッドカーなどの車両（以下、電気車両という）に搭載される二次電池を充電する充電スタンドに関する。
【背景技術】
【０００２】
近年、商用電源から充電ケーブルを介して充電可能な電気車両が市場に提供され始めている。そして、電気車両の普及に伴い、電気車両に搭載された二次電池を充電するための充電ケーブルと接続するユニットを備えた充電スタンドが各地に設置されてきている。
【０００３】
この種の充電スタンドとしては、たとえば、平行に配置した２本の支柱間に配置した板状の取付部材の正面に、車両用充電器などの電気機器収納用筐体を取り付けたものが知られている（たとえば、特許文献１）。
【０００４】
特許文献１の電気機器収納用筐体の支持体は、電気機器収納用筐体への配線を行う配線部を取付部材の背面に設けている。電気機器収納用筐体の支持体は、配線部を被覆する背面板を備えている。電気機器収納用筐体の支持体は、２本の支柱間に渡した保持部材の固定部に背面板を固定している。
【先行技術文献】
【特許文献】
【０００５】
【特許文献１】特開２０１３−１１５０８２号公報
【発明の概要】
【発明が解決しようとする課題】
【０００６】
ところで、充電スタンドでは、背面側で電気的な接続を行うことが多く、充電スタンドの設置時やメンテナンス時などにおいて、背面板の取り付けや取り外しが行われる。しかしながら、充電スタンドは、比較的大きなものが多く、背面板の取り付けなども大がかりとなる傾向にあることから、より簡単な構成で背面板の設置が行いやすいものが求められている。
【０００７】
本発明は上記事由に鑑みて為されたものであり、その目的は、比較的簡単な構成で、充電スタンドの背面板の設置を容易に行うことが可能な充電スタンドを提供することにある。
【課題を解決するための手段】
【０００８】
本発明の充電スタンドは、電気車両の二次電池の充電に用いる充電ケーブルと正面側で接続するユニットをスタンド本体部の内部に収納する充電スタンドであって、上記スタンド本体部は、対向して立て置かれる一対の側壁と、鉛直方向の上方で上記一対の側壁に渡って設けられる天上部と、上記一対の側壁と上記天上部で囲まれる開口部を塞ぐ背面板とを備え、上記背面板は、上記天上部側の上部背面板と、上記天上部と反対側の下部背面板とを有しており、上記上部背面板は、上記スタンド本体部の背面側において上記天上部の端部から下方に突出する突出片の上記内部側の所定位置に上端を差し込み上記開口部を塞いでいない状態で、上記内部側に突き出し上記上部背面板を所定部材に仮置きさせる突出部を下端側に有することを特徴とする。
【０００９】
この充電スタンドにおいて、上記所定部材は、上記一対の側壁に固定された上記下部背面板の上端部であることが好ましい。
【発明の効果】
【００１０】
本発明の充電スタンドは、スタンド本体部の内部側に突き出し上部背面板を所定部材に仮置きさせる突出部を上部背面板の下端側に有することにより、比較的簡単な構成で背面板の設置を容易に行うことが可能になるという効果を奏する。
【図面の簡単な説明】
【００１１】
【図１】図１は、実施形態の充電スタンドを示し、（ａ）は説明断面図、（ｂ）は（ａ）の矢印ｂで示した要部の拡大図、（ｃ）は（ａ）の矢印ｃで示した要部の拡大図である。
【図２】図２は、本実施形態の充電スタンドを示す正面図である。
【図３】図３は、本実施形態の充電スタンドを示す側面図である。
【図４】図４は、本実施形態の充電スタンドを示す背面図である。
【図５】図５は、実施形態の充電スタンドを示し、（ａ）は図４のＸＸ断面図、（ｂ）は要部の拡大図である。
【図６】図６は、本実施形態の充電スタンドの要部を示す背面斜視図である。
【図７】図７は、本実施形態の充電スタンドを示す背面説明図である。
【図８】図８は、本実施形態の充電スタンドを示す正面説明図である。
【図９】図９は、本実施形態の充電スタンドを示す側面説明図である。
【図１０】図１０は、本実施形態の充電スタンドの回路ブロック図である。
【発明を実施するための形態】
【００１２】
以下では、本実施形態の充電スタンド１０について図１ないし図１０を用いて説明する。なお、図中において同じ部材に対しては、同じ番号を付している。また、各図では、充電スタンド１０において、図２を正面１０ｂａ、正面１０ｂａに対し反対側を背面１０ｂｂとして説明する。
【００１３】
本実施形態の充電スタンド１０は、図示しない電気車両の二次電池の充電に用いる充電ケーブルと正面１０ｂａ側で接続するユニット１１をスタンド本体部１の内部１０ａａに収納する（図１を参照）。スタンド本体部１は、図２ないし図５に示すように、対向して立て置かれる一対の側壁３と、鉛直方向の上方で一対の側壁３に渡って設けられる天上部４を備えている。スタンド本体部１は、一対の側壁３と天上部４で囲まれる開口部１ａａ（図６を参照）を塞ぐ背面板５とを備えている。背面板５は、天上部４側の上部背面板５１と、天上部４と反対側の下部背面板５２とを有している。
【００１４】
上部背面板５１は、スタンド本体部１の背面１０ｂｂ側において天上部４の端部４ａから下方に突出する突出片４ｂの内部１０ａａ側の所定位置に上端５１ａを差し込む（図１（ｂ）を参照）。上部背面板５１は、開口部１ａａを塞いでいない状態で、内部１０ａａ側に突き出し上部背面板５１を所定部材に仮置きさせる突出部６を下端５１ｂ側に有している（図１（ｃ）を参照）。
【００１５】
本実施形態の充電スタンド１０では、所定部材は、一対の側壁３に固定された下部背面板５２の上端部５２ａである。上部背面板５１の突出部６は、上端５１ａを所定位置に差し込み上部背面板５１の下端５１ｂ側を一対の側壁３から離して開口部１ａａを塞いでいない状態（図１および図７を参照）において、内部１０ａａ側に突出する。
【００１６】
本実施形態の充電スタンド１０は、スタンド本体部１の内部１０ａａ側に突き出し上部背面板５１を所定部材に仮置きさせる突出部６を下端５１ｂ側に有することにより、比較的簡単な構成で背面板５の設置を比較的容易に行うことが可能になる。なお、充電スタンド１０は、一対の側壁３に固定された下部背面板５２の上端部５２ａを所定部材とすることで、より簡便な構成とすることができる。
【００１７】
以下では、本実施形態の充電スタンド１０について、より詳細に説明する。
【００１８】
充電スタンド１０は、電気車両に搭載される二次電池を充電するための充電設備として機能させることが可能なものである。充電スタンド１０は、たとえば、電気車両の駐車場所の近傍に設置することができる。
【００１９】
本実施形態の充電スタンド１０は、角柱状のスタンド本体部１を設置面から自立させている。本実施形態の充電スタンド１０は、スタンド本体部１の外形形状の縦×横×高さを、たとえば、２３０ｍｍ×２８０ｍｍ×１５００ｍｍとしている。スタンド本体部１は、主として、一対の側壁３と、天上部４とを備えている。充電スタンド１０は、設置面に取付ベース２を固定していることが好ましい。
【００２０】
取付ベース２は、有底角筒状の形状とすることができる。取付ベース２は、有底角筒状の端部からスタンド本体部１の正面１０ｂａの外方やスタンド本体部１の背面１０ｂｂの外方に向かって突出する鍔部２ａを備えている。取付ベース２は、たとえば、金属板の折り曲げ加工により形成することができる。取付ベース２は、たとえば、図示していないアンカーボルトを用いて、コンクリートの基礎に固定するための固定用穴２ａａを鍔部２ａに設けている（図６を参照）。
【００２１】
一対の側壁３は、長尺の板状に形成され対向して配置される。側壁３は、金属板の折り曲げ加工により角筒の板状に形成することができる。側壁３は、たとえば、側壁３の材料として、アルミニウム合金やステンレスなどの金属材料を用いることができる。本実施形態の充電スタンド１０では、図２に示す正面視において、一対の側壁３を左側における第１側壁部３１と右側における第２側壁部３２として図示している。第１側壁部３１と第２側壁部３２とは、設置面に固定した取付ベース２から鉛直方向の上方に向かって立つように取付ベース２に固定している。第１側壁部３１や第２側壁部３２は、図１に示すように、本体固定ねじ２ｋを用いて、取付ベース２における有底角筒状の底部に第１側壁部３１や第２側壁部３２の端部を固定している。すなわち、本実施形態の充電スタンド１０は、第１側壁部３１と、第２側壁部３２とが互いに左右方向に対向し起立した状態で取付ベース２上に組み立てることができる。
【００２２】
充電スタンド１０は、図示していないが、設置面となるコンクリートの基礎から導出する電線管(たとえば、ＰＦ管（Plastic Flexible Conduit））を導入する配線導入口を、取付ベース２の底部に備えていることが好ましい。電線管の電力線は、たとえば、後述する商用電源などの外部電源４０と電気的に接続している。充電スタンド１０は、図示していないが、配線導入口から導入された電線管の電力線と、スタンド本体部１の内部１０ａａに収納されユニット１１に給電する電源ケーブル（図示していない）とをコネクタにより電気的に接続することができる。
【００２３】
天上部４は、第１側壁部３１と第２側壁部３２との鉛直方向の上方において、第１側壁部３１と第２側壁部３２とに渡って配置する。天上部４は、扁平な矩形箱形の外形形状をしている。天上部４は、金属板の折り曲げ加工により形成することができる。天上部４は、たとえば、天上部４の材料として、アルミニウム合金やステンレスなどの金属材料を用いることができる。天上部４は、第１側壁部３１と第２側壁部３２とを覆うように、第１側壁部３１と第２側壁部３２と跨って配置している。天上部４は、第１側壁部３１と第２側壁部３２それぞれに固定している。スタンド本体部１は、取付ベース２と、天上部４と、第１側壁部３１と、第２側壁部３２とを用いて、正面１０ｂａ側および背面１０ｂｂ側がそれぞれ開口する箱形状としている。スタンド本体部１は、天上部４と、取付ベース２から立設した第１側壁部３１と第２側壁部３２とで、スタンド本体部１の内部１０ａａにユニット１１を収納するキャビネットを構成している。なお、第１側壁部３１と第２側壁部３２とは、対向する面から突出する突出板３ｂをそれぞれ設けている(図６を参照)。
【００２４】
天上部４は、天上部４の矩形の各辺に沿った端部４ａから第１側壁部３１や第２側壁部３２の上端を覆うように下方に突出する突出片４ｂを備えている（図１（ｂ）を参照）。スタンド本体部１は、第１側壁部３１や第２側壁部３２の上端と、天上部４の突出片４ｂとの間の所定位置に、背面板５の上端５１ａを差し込む差込部１ｂを設けている。差込部１ｂは、天上部４の突出片４ｂと、第１側壁部３１の上端側や第２側壁部３２の上端側との隙間で構成している。
【００２５】
背面板５は、スタンド本体部１の背面１０ｂｂの開口部１ａａを塞ぐことが可能なものである。背面板５は、上部背面板５１と下部背面板５２とに分割して形成することにより、背面板５を取り外す場合において、上部背面板５１を取り外す際の荷重を下部背面板５２がない分だけ軽減させることが可能としている。上部背面板５１は、背面視において、長尺の矩形状に形成することができる。上部背面板５１は、たとえば、上部背面板５１の材料として、アルミニウム合金やステンレスなどの金属材料を用いることができる。
【００２６】
上部背面板５１は、スタンド本体部１の正面１０ｂａ側のユニット１１に対応するように、スタンド本体部１の背面１０ｂｂの上方に設けている。上部背面板５１は、ユニット１１の後述する漏電遮断器２１に対応して複数の貫通孔（図示していない）を形成している。充電スタンド１０は、スタンド本体部１に上部背面板５１を取り付けた状態で貫通孔から漏電遮断器２１の状態を確認することができる。上部背面板５１は、上記貫通孔を塞ぐように複数の確認蓋５ｂを取り外し可能に設けている。確認蓋５ｂは、たとえば、金属材料により矩形平板状に形成することができる。確認蓋５ｂは、第１固定ねじ５ｋを用いて上部背面板５１に固定することができる。また、充電スタンド１０は、後述する表示装置２３の背面１０ｂｂに設けられる明るさセンサ３３ｋに対応して上部背面板５１に孔部（図示していない）を形成し、孔部を塞ぐように採光窓５ａを設けている。採光窓５ａは、たとえば、矩形枠状の枠体部５ａ１と、枠体部５ａ１の開口を塞ぐ透光性の樹脂材料により矩形平板状に形成した窓部５ａ２とを有する構成とすることができる。
【００２７】
上部背面板５１は、断面視において、Ｌ字形状としている。上部背面板５１は、下端５１ｂ側の先端に突出部６を備えている。上部背面板５１は、上端５１ａを差込部１ｂに差し込んで下端５１ｂを第１側壁部３１や第２側壁部３２から離し開口部１ａａを塞いでいない状態で、スタンド本体部１の内部１０ａａ側に突出するように下端５１ｂから突出部６を延出させている。突出部６は、背面視が矩形状の上部背面板５１における下端５１ｂ側の一辺に沿って設けることができる。突出部６は、上部背面板５１の一辺に沿って一つ設けてもよいし、複数個設けてもよい。したがって、突出部６は、上部背面板５１の下端５１ｂとなる一辺全体に沿って設けてもよいし、一辺に沿って複数突出するように構成してもよい。
【００２８】
突出部６は、上部背面板５１と一体として形成することができる。突出部６は、上部背面板５１と一体として形成するものだけに限られず、別体として形成してもよい。突出部６は、上部背面板５１と別体に形成させたのち、溶接やねじなどにより上部背面板５１の下端５１ｂ側に固着させてもよい。突出部６は、上部背面板５１と別体に形成させる場合、たとえば、突出部６の材料として、アルミニウム合金、ステンレスなどの金属材料や樹脂材料を用いることができる。本実施形態の充電スタンド１０では、突出部６は、Ｌ字状の上部背面板５１における下端５１ｂから延出する延出方向に沿って設けた平板状に形成しているが、必ずしも下端５１ｂからの延出方向に一致させる必要はない。また、突出部６は、上部背面板５１を仮置きさせる所定部材の形状に合わせて適宜の形状とすることができる。突出部６は、開口部１ａａを塞ぐように上部背面板５１をスタンド本体部１に押し込む際に、突出部６の所定部材と対向する表面を、所定部材との摩擦を低減させる平滑な面としてもよい。また、突出部６は、上部背面板５１で開口部１ａａを塞ぐ際に、所定部材からの位置ずれが生じないように、突出部６の所定部材と対向する表面を凹凸面としてもよい。さらに、突出部６は、上部背面板５１で開口部１ａａを塞ぐ際に、所定部材からの位置ずれが生じないように、突出部６の所定部材と対向する表面に滑り止めの樹脂膜を形成していてもよい。本実施形態の充電スタンド１０では、上部背面板５１は、開口部１ａａを塞いだ状態で、下端５１ｂが所定部材と当接し突出部６が所定部材と当接しないように構成している。
【００２９】
下部背面板５２は、背面視において、矩形状に形成することができる。下部背面板５２は、断面視において、Ｌ字形状としている。下部背面板５２は、上部背面板５１よりも小さく形成している。下部背面板５２は、たとえば、下部背面板５２の材料として、アルミニウム合金やステンレスなどの金属材料を用いることができる。下部背面板５２は、金属板の折り曲げ加工により形成することができる。本実施形態の充電スタンド１０では、下部背面板５２は、取付ベース２の直上に配置している。下部背面板５２は、Ｌ字状に折り曲げた上端部５２ａが、上部背面板５１を載せ置く所定部材を構成することができる。所定部材は、下部背面板５２の上端部５２ａだけに限られない。所定部材は、たとえば、突出部６を支持可能な支持板を、第１側壁部３１や第２側壁部３２の対向面に設けて構成したものでもよい。上端部５２ａは、上部背面板５１の突出部６が載せ置くことが可能な形状であればよく、突出部６と当接する面が必ずしも平板状である必要はない。したがって、上端部５２ａは、突出部６に応じて種々の形状とすることができる。上端部５２ａは、突出部６との当接面を平滑面としても粗面としてもよい。
【００３０】
充電スタンド１０は、第２固定ねじ５ｍを用いて、スタンド本体部１の背面１０ｂｂにおける開口部１ａａの一部を塞ぐように下部背面板５２を固定することができる（図６を参照）。また、充電スタンド１０は、第３固定ねじ５ｎを用いて、スタンド本体部１の背面１０ｂｂにおける開口部１ａａの残部を塞ぐように上部背面板５１を固定することができる（図４を参照）。充電スタンド１０は、上部背面板５１と、上部背面板５１よりも下方に配置される下部背面板５２とを有していればよく、必ずしも２つだけに限られない。
【００３１】
スタンド本体部１は、スタンド本体部１の内部１０ａａを正面１０ｂａ側と背面１０ｂｂ側との前後に区分けし、ユニット１１を取り付けることが可能な取付板９を備えていることが好ましい（図１および図６を参照）。取付板９は、長尺平板状の外形形状としている。取付板９は、第１側壁部３１と第２側壁部３２とに渡って取り付けて固定することができる。スタンド本体部１は、スタンド本体部１の内部１０ａａにおいて、取付板９で仕切られた前方の空間にユニット１１を配置することができる。スタンド本体部１は、スタンド本体部１の内部１０ａａにおいて、取付板９で仕切られた後方の空間にユニット１１に給電する上記電源ケーブルなどを配線することができる。取付板９は、たとえば、取付板９の材料として、アルミニウム合金やステンレスなどの金属材料を用いることができる。取付板９は、上記後方の空間で上記電源ケーブルと接続するため、ユニット１１における背面１０ｂｂ側を露出させる切欠き部９ａを備えている。スタンド本体部１は、複数のユニット１１を備える場合、ユニット１１ごとに対応する複数（ここでは、４つ）の切欠き部９ａを取付板９に設けることができる。取付板９は、取付ねじ（図示していない）を用いて、ユニット１１を固定することができるように構成している。取付板９は、ユニット１１を固定した状態で、切欠き部９ａからユニット１１の端子台１１ｂが露出するように構成している。
【００３２】
本実施形態の充電スタンド１０では、第１側壁部３１および第２側壁部３２に取付板９が取り付けられた後、ユニット１１がスタンド本体部１の正面１０ｂａ側から内部１０ａａに収納される。充電スタンド１０では、ユニット１１の取り付けに際し、取付板９および突出板３ｂのねじ孔３ｂａに挿通された取付ねじ３ｂｂを、ユニット１１の背面１０ｂｂのねじ孔（図示していない）に締め付けることができる。充電スタンド１０は、取付ねじ３ｂｂにより、ユニット１１と取付板９と突出板３ｂとが固定され、ユニット１１がスタンド本体部１に固定される。
【００３３】
スタンド本体部１は、スタンド本体部１の正面１０ｂａにおける最上部に、充電スタンド１０の存在を周囲に知らせるための表示装置２３を取り付けている。また、スタンド本体部１は、スタンド本体部１の正面１０ｂａにおける最下部に、正面視が矩形板状の前面下パネル７ｂを取り付けている。スタンド本体部１は、表示装置２３から前面下パネル７ｂまでの上記前方の空間の上下方向に、複数のユニット１１が収納可能なキャビネットを備えている。本実施形態の充電スタンド１０では、１つのユニット１１を天上部４側に設けている。充電スタンド１０は、ユニット１１と前面下パネル７ｂとの間の開口を覆うように、複数（ここでは、３つ）のカバー部７ａをスタンド本体部１の正面１０ｂａに設けている。カバー部７ａは、たとえば、金属板の折り曲げ加工によりＣ字形状に形成することができる。カバー部７ａは、カバー部７ａの材料として、アルミニウム合金やステンレスなどの金属材料を用いることができる。カバー部７ａは、ユニット１１と置き換えることができるように、カバー部７ａの外形寸法をユニット１１の外形寸法と同程度の大きさとしている。カバー部７ａは、正面部７ａａと側面部７ａｂと正面部７ａａよりも小さい背面部７ａｃとを備え、断面視がＣ字状の外形形状としている。カバー部７ａは、背面部７ａｃをユニット１１と同様に取付ねじ３ｂｂによりスタンド本体部１に固定することができる。なお、充電スタンド１０では、スタンド本体部１の内部１０ａａにおける鉛直方向の上下方向に並設されたキャビネットの何れにもユニット１１を収納してもよい。充電スタンド１０は、カバー部７ａをユニット１１と置き換えることで、ユニット１１を増設することができる。
【００３４】
充電スタンド１０は、充電スタンド１０の機械的強度を高める補強部材８を備えていることが好ましい。補強部材８は、取付ねじ８ａにより、第１側壁部３１および第２側壁部３２それぞれに取り付けている。補強部材８は、第１側壁部３１と第２側壁部３２とを所定の間隔に保持することができる。補強部材８は、長尺状の金属板により形成することができる。補強部材８は、短手方向の断面視をＣ字状に形成することができる。補強部材８は、たとえば、ステンレス材やアルミニウム合金などの金属材料により形成することができる。補強部材８は、第１側壁部３１と第２側壁部３２における取付ベース２側と天上部４側とにそれぞれ取り付けていることが好ましい。
【００３５】
ユニット１１は、外形形状が直方体状の箱形に形成することができる。ユニット１１は、図８に示すように、スタンド本体部１の正面１０ｂａ側に扉体１１ｃを備えている。扉体１１ｃは、矩形板状に形成している。扉体１１ｃは、金属板によって形成することができる。扉体１１ｃは、扉体１１ｃの側端部がヒンジ部（図示していない）によって回転自在にユニット１１の正面１０ｂａの端部に支持されている。扉体１１ｃは、扉体１１ｃを閉じる閉位置と、扉体１１ｃを開く開位置との間で回動自在となるように構成している。扉体１１ｃは、ロック装置１１ｒを備えている。ユニット１１は、ロック装置１１ｒによって、扉体１１ｃが閉位置で閉じた状態でロックできるように構成している。また、扉体１１ｃは、扉体１１ｃの下方の隅部を切り欠いた切欠部１１ｃａを備えている。切欠部１１ｃａは、扉体１１ｃを閉じた状態でコンセント２１ａと接続させた充電ケーブルを引き出すことができる引出口を形成している（図２および図９を参照）。
【００３６】
ユニット１１は、ユニット１１の内部に設けられ３極プラグに対応した差込口２１ａａを有するコンセント２１ａと、プレート２１ｂと、コンセントカバー２１ｃとを有している。コンセント２１ａは、スタンド本体部１の正面１０ｂａ側に差込口２１ａａを設けている。コンセント２１ａは、ユニット１１の内部の上隅部に設けている。そのため、コンセント２１ａは、コンセント２１ａの差込口２１ａａが、水平面に対して下向きに傾いて配置される。コンセント２１ａは、差込口２１ａａから差し込まれる充電ケーブルの電源プラグの栓刃を受ける刃受と、刃受を外部の電線と接続するための端子と、刃受と端子とを収納する電気絶縁性の器体とを備えた構成としている。コンセント２１ａは、下向きに傾斜した配置で設けることにより、充電ケーブルの電源プラグと接続し易く水滴などの浸入を抑制することが可能となる。
【００３７】
プレート２１ｂは、コンセント２１ａを保持しコンセント２１ａにおける正面１０ｂａ側を覆うものである。プレート２１ｂは、金属材により、全体として平板状に形成することができる。プレート２１ｂは、プラグ挿入口２１ｂａが開口する中央部分を前方へ突出させている。プレート２１ｂは、中央部分と連続した左右方向の両端部それぞれに設けられたねじ挿通孔を挿通するねじ２１ｂｂによりユニット１１に固定されている。
【００３８】
コンセントカバー２１ｃは、プレート２１ｂのプラグ挿入口２１ｂａを開閉自在に塞ぐことが可能なものである。コンセントカバー２１ｃは、半円板状に形成している。コンセントカバー２１ｃは、プレート２１ｂに対し回転自在となるように、半円板の直線部分がプレート２１ｂの中央部分に支持されている。コンセントカバー２１ｃは、プレート２１ｂのプラグ挿入口２１ｂａを覆う閉位置と、プラグ挿入口２１ｂａを開放する開位置との間で変位させることができる。コンセントカバー２１ｃは、ねじりコイルばね（図示していない）のばね力によって、開位置から閉位置に向かう向きに弾性力が加わるように構成してもよい。コンセントカバー２１ｃは、たとえば、ＡＢＳ（Acrylonitrile Butadiene Styrene Copolymer）樹脂などにより形成することができる。
【００３９】
ユニット１１は、図１０に示すように、インターロック装置２２を備えていることが好ましい。ユニット１１は、インターロック装置２２が外部電源４０に接続された漏電遮断器２１と接続されている。漏電遮断器２１は、過電流のほか漏電時における外部電源４０から接地側に流れる電流を検出して給電路を自動的に遮断可能な回路遮断器である。インターロック装置２２は、インターロックスイッチ２２ａと、インターロックスイッチ２２ａを介して給電路に接続される励磁コイル２２ｂとを有している。インターロック装置２２は、コンセント２１ａへの給電路に挿入され励磁コイル２２ｂが励磁されている間だけオンとなるリレー接点２２ｃを有している。インターロック装置２２は、リレー接点２２ｃを介して、コンセント２１ａと電気的に接続している。インターロックスイッチ２２ａは、ユニット１１の内部において扉体１１ｃ側に突出するように設けることができる（図８を参照）。インターロックスイッチ２２ａは、扉体１１ｃが閉位置にあるときに扉体１１ｃの裏面側からユニット１１の内部側に突出する駆動片１１ｄによって押圧され、オンとなるように構成している。また、インターロックスイッチ２２ａは、扉体１１ｃが閉位置にないときには駆動片１１ｄによる押圧が解除され、オフに切り替わるように構成している。
【００４０】
ユニット１１は、扉体１１ｃが閉位置にあれば、インターロックスイッチ２２ａがオンとなることで励磁コイル２２ｂに励磁電流が流れる。ユニット１１は、リレー接点２２ｃがオン状態の場合、コンセント２１ａを介して、充電コネクタへの給電路を形成することができる。また、ユニット１１は、扉体１１ｃが開位置になければ、インターロックスイッチ２２ａがオフとなることで、リレー接点２２ｃもオフとなる。ユニット１１は、コンセント２１ａを介して充電コネクタへ給電する給電路が開放される。充電スタンド１０は、充電コネクタの電源プラグをコンセント２１ａに接続し、扉体１１ｃを閉じることで給電路に通電する。そのため、充電スタンド１０は、扉体１１ｃが開いて、ユニット１１の内部における充電ケーブルなどが外部に露出した状態では給電路に通電することがない構成としている。
【００４１】
ユニット１１は、充電コネクタの電源プラグがコンセント２１ａに接続されて給電路に通電している状態か否かを表示する状態表示灯３３ｄを備えていることが好ましい。状態表示灯３３ｄは、図２に示す第１の状態表示灯３３ａと第２の状態表示灯３３ｂとを備えていることがより好ましい。ユニット１１は、第１の状態表示灯３３ａおよび第２の状態表示灯３３ｂの点灯制御を行う制御回路部２２ｅを備えることができる。第１の状態表示灯３３ａは、たとえば、緑色光が発光可能な発光ダイオードを用いて構成することができる。第２の状態表示灯３３ｂは、たとえば、赤色光が発光可能な発光ダイオードを用いて構成することができる。制御回路部２２ｅは、たとえば、給電路に通電している状態であれば第１の状態表示灯３３ａを緑色に点灯させる。制御回路部２２ｅは、給電路に通電していない状態であれば第１の状態表示灯３３ａを消灯させる。また、制御回路部２２ｅは、電気車両の二次電池に充電中であれば第２の状態表示灯３３ｂを赤色に点灯させる。また、ユニット１１は、手元表示灯３３ｅを備えていることが好ましい。手元表示灯３３ｅは、扉体１１ｃが開位置となれば、コンセント２１ａを照らすことが可能なものである。手元表示灯３３ｅは、インターロックスイッチ２２ａと制御回路部２２ｅとに電気的に接続している。
【００４２】
充電スタンド１０は、外部電源４０から上記電源ケーブルを介してコンセント２１ａに電力が供給される。充電スタンド１０は、充電ケーブルの電源プラグをコンセント２１ａに差し込み、充電コネクタを電気車両に設けられた充電ポートに接続することで、電気車両に搭載された二次電池を充電することができる。
【００４３】
本実施形態の充電スタンド１０では、ユニット１１と表示装置２３とを電気的に接続している。表示装置２３は、充電スタンド１０の外部の環境が暗くなった場合、充電スタンド１０の位置を知らせることができるように表示灯３３ｃを自動的に点灯させることが可能なものである。表示装置２３は、明るさセンサ３３ｋと、表示灯３３ｃとを備えた構成とすればよい。表示装置２３は、表示灯３３ｃをスタンド本体部１の正面１０ｂａ側に設けており、明るさセンサ３３ｋをスタンド本体部１の背面１０ｂｂ側に設けている（図２および図６を参照）。表示灯３３ｃは、たとえば、青色光が発光可能な発光ダイオードを用いて構成することができる。
【００４４】
充電スタンド１０は、コンセント２１ａを備えたユニット１１の構成だけに限られるものではない。充電スタンド１０は、図示していないが、電気車両側に接続する充電コネクタを収納可能なスペースを備えたユニット１１、各種の充電制御部を有するユニット１１や使用者の認証などを行う認証制御部を有するユニット１１などを用いることもできる。また、ユニット１１は、電気車両側への充電を制御する充電制御部を備えた構成としてもよい。充電制御部は、充電ケーブルの通信線を介して電気車両と通信する通信機能などを実現するように構成してもよい。充電制御部は、電気車両側との通信により充電を制御するように構成してもよい。充電制御部は、適宜のプログラムにより駆動するマイクロコンピュータにより構成することができる。
【００４５】
充電制御部は、電気車両との接続状態の検出や漏電検出、異常時における電気車両側と外部電源４０側との間の電気的接続の切り離しを行う充電回路遮断装置（CCID：Charging Circuit Interrupt Device）を設けていることが好ましい。充電回路遮断装置は、外部電源４０と電気車両の二次電池との間の給電経路を入切するリレー（図示していない）と、制御回路（図示していない）とを備えて構成される。充電回路遮断装置は、リレーが開いて、外部電源４０から電気車両の二次電池へと電力を供給する給電経路を遮断する。充電回路遮断装置は、リレーが閉じた状態で外部電源４０から電気車両の二次電池へと電力を供給することが可能に構成している。制御回路は、パイロット信号を電気車両に搭載された図示していないＥＣＵ（Electronic Control Unit）に送信することにより、外部電源４０および充電ケーブルの定格電流を通知する。ＥＣＵは、所定の充電電流で電気車両の二次電池を充電する。また、制御回路は、漏電などの異常を検出した場合にリレーを強制的に開いて給電経路を遮断する機能を有している。
【００４６】
充電制御部は、上記通信線に印加される線間電圧を変化させることで、電気車両との間の通信を行うことができる。充電スタンド１０は、充電ケーブルの充電コネクタが電気車両に接続され上記通信線に電圧が印加されたことを検知すると、充電制御部から電気車両に充電の準備が整ったことを知らせる信号(ＣＰＬＴ信号)を送信する。充電スタンド１０は、電気車両から充電開始のＣＰＬＴ信号を受信すると、充電制御部が励磁コイル２２ｂに励磁電流を流してリレー接点２２ｃをオンするように構成することができる。また、充電スタンド１０は、二次電池の充電が終了して電気車両から充電終了のＣＰＬＴ信号を受信すると、充電制御部が励磁コイル２２ｂの励磁電流を停止してリレー接点２２ｃをオフするように構成することができる。
【００４７】
認証制御部は、スタンド本体部１の正面１０ｂａに配設されているアンテナを介してカードキーの登録情報を読み取り、カードキーから読み取られた登録情報が、予め登録されている登録情報と一致するか否かを判定する。認証制御部では、登録情報が一致した場合、認証制御部からユニット１１に充電を許可する信号を出力する。ユニット１１は、充電を許可する信号を受け取った場合、電気錠からなるロック装置１１ｒを解錠してコンセント２１ａの使用が可能な構成とすることができる。また、充電制御部は、充電を許可する信号を受け取った場合、充電制御部によるリレー接点２２ｃの制御が可能になる。充電制御部は、認証制御部から充電許可信号を受け取っていない場合、充電開始のＣＰＬＴ信号を受信してもリレー接点２２ｃをオンしない構成とすることができる。これにより、充電スタンド１０は、カードキーの登録情報が登録されたユーザだけ、充電スタンド１０を利用できるように制御する構成とすることができる。本実施形態の充電スタンド１０は、コンセント２１ａに電源プラグを差し込んだ充電ケーブルを介して電気車両の二次電池を充電する。本実施形態の充電スタンド１０は、ユニット１１の配線を行うために上部背面板５１を取り外しが容易なため、ユニット１１の増設も比較的に容易に行うことが可能となる。
【００４８】
以下では、本実施形態の充電スタンド１０における上部背面板５１をスタンド本体部１の開口部１ａａを塞ぐように取り付ける場合について、説明する。
【００４９】
本実施形態の充電スタンド１０は、上部背面板５１を取り付ける際に、一度、上部背面板５１を下部背面板５２に仮置きができるので、取り付けを行い易くすることが可能となる。充電スタンド１０では、メンテナンスのため、背面板５を取り外す必要がある場合がある。本実施形態の充電スタンド１０は、背面板５の設置が行い易い充電スタンド１０とすることが可能となる。本実施形態の充電スタンド１０は、充電スタンド１０の構造を簡単にできるので、製造コストを抑制することが可能となる。
【００５０】
充電スタンド１０は、図６に示すように、背面１０ｂｂ側の開口部１ａａが開口したスタンド本体部１に背面板５を取り付ける場合、第３固定ねじ５ｎにより、予め下部背面板５２を第１側壁部３１および第２側壁部３２に固定している。上部背面板５１を取り付ける施工者は、まず、最初に、上部背面板５１の短手方向の両側を把持し、スタンド本体部１に対して斜め下方から、上部背面板５１の上端５１ａをスタンド本体部１の差込部１ｂに差し込む。施工者は、上部背面板５１の上端５１ａを差込部１ｂに差し込んだ状態で、開口部１ａａを塞ぐように上部背面板５１の下端５１ｂを近づける。充電スタンド１０は、上部背面板５１の下端５１ｂから充電スタンド１０の内部１０ａａ側に突出した突出部６を備えている。そのため、充電スタンド１０は、上部背面板５１の短手方向の両側を把持した状態のままで、突出部６を下部背面板５２の上端部５２ａに載せ置くことが可能となる。充電スタンド１０では、上部背面板５１で開口部１ａａを完全に塞ぐ前段階において、下部背面板５２が上部背面板５１を支持しているので、把持した手の抜き差しを容易に行うことができる。
【符号の説明】
【００５１】
１  スタンド本体部
１ａａ  開口部
３  側壁
４  天上部
４ａ  端部
４ｂ  突出片
５  背面板
５１  上部背面板
５１ａ  上端
５１ｂ  下端
５２  下部背面板
５２ａ  上端部
６  突出部
１０  充電スタンド
１０ａａ  内部
１０ｂａ  正面
１０ｂｂ  背面
１１  ユニット
【図１】
2015154707.tif 000003
【図２】
2015154707.tif 000004
【図３】
2015154707.tif 000005
【図４】
2015154707.tif 000006
【図５】
2015154707.tif 000007
【図６】
2015154707.tif 000008
【図７】
2015154707.tif 000009
【図８】
2015154707.tif 000010
【図９】
2015154707.tif 000011
【図１０】
2015154707.tif 000012